(57)【要約】【課題】ある程度曲げ剛性を有するため結び目を形成しづらい釣り糸どうしであっても、直結操作を短時間で容易に行うことができ、また、サルカン等の連結器具を用いる必要もなく、釣果の向上を期待できる釣り糸の直結器を提供する。【解決手段】手で直接把持しつつ、直結させる二本の釣り糸をあてがう本体１２と、本体１２に設けられ第１、第２の二本の釣り糸（Ｍ、Ｎ）を直結操作する直結操作部１４と、を含み、直結操作部１４は、二本の釣り糸のそれぞれの自由端（Ｔ、Ｓ）を差違え状に対向させ、ある程度の長さにわたって相互に重ね合わせて配置させた状態で、第１の糸の重ね合わせ自由端Ｔ側を第２の糸の重ね合わせ自由端Ｓ近傍に巻き付けるために巻き付け案内する巻き付け案内部１６と、巻き付け後の第１の糸の自由端Ｔ側を巻き付けにより形成したループＬ内に貫挿案内する貫挿案内部１８と、する。【選択図】図７
0003119593.tif 000002
【実用新案登録請求の範囲】
【請求項１】
手で直接把持しつつ、直結させる二本の釣り糸をあてがう本体と、
本体に設けられ第１、第２の二本の釣り糸を直結操作する直結操作部と、を含み、
直結操作部は、二本の釣り糸のそれぞれの自由端を差違え状に対向させ、ある程度の長さにわたって相互に重ね合わせて配置させた状態で、第１の糸の重ね合わせ自由端側を第２の糸の重ね合わせ自由端近傍に巻き付けるために巻き付け案内する巻き付け案内部と、
巻き付け後の第１の糸の自由端側を巻き付けにより形成したループ内に貫挿案内する貫挿案内部と、を含む、ことを特徴とする釣り糸の直結器。
【請求項２】
直結操作部は、本体から一方向に突設した棒状部に設けられ、
棒状部の外周面を巻き付け案内部とするとともに、貫挿案内部は、巻き付けにより形成されたループに第１の糸の自由端を貫挿案内させるように棒状部に形成された溝からなることを特徴とする請求項１記載の釣り糸の直結器。
【請求項３】
巻き付け案内部は、第２の糸を外周方向に取り囲むようにループを形成すべく第１の糸の重ね合わせ自由端側を方向転換させる方向転換部を含むことを特徴とする請求項１または２記載の釣り糸の直結器。
【請求項４】
方向転換部は、棒状部の外周に設けられた突起、突丘、あるいは膨出部からなることを特徴とする請求項３記載の釣り糸の直結器。
【請求項５】
本体全体が手で把持できる程度の大きさの棒体からなることを特徴とする請求項１ないし４のいずれかに記載の釣り糸の直結器。
【請求項６】
貫挿案内部は、棒状部の終端面側に開口する溝であることを特徴とする請求項２ないし５のいずれかに記載の釣り糸の直結器。
【請求項７】
溝は、巻き付けループ位置を貫通方向に越えた位置の棒状部終端面側に開口することを特徴とする請求項２ないし６のいずれかに記載の釣り糸の直結器。
【請求項８】
溝は、巻き付けループ形成後の第１の糸の自由端の差し入れ口が棒状部の周面にあるように該棒状部の周面と棒状部の終端面と、に連続する切込み溝であることを特徴とする請求項２ないし７のいずれかに記載の釣り糸の直結器。
【請求項９】
溝は、棒状部の周面と棒状部の終端面と、に滑らかに連続する溝であることを特徴とする請求項２ないし８のいずれかに記載の釣り糸の直結器。
【請求項１０】
直結操作部は、本体に設けた押さえ平坦部と、
押さえ平坦部に一体的に連続し平坦面から外向き拡大方向に突出した突丘と、
突丘に一体的に接続し突丘よりも小さな棒体外周を形成して棒体の長手方向に突出する巻き付け部と、
巻き付け部に一体接続されて突出端を面状に終端させた終端壁と、を有し、
棒体の長手方向であって、押さえ平坦部から巻き付け部の外周に向けて連通し、第１、第２の二本の釣り糸を重ね合わせた状態で直線状に挿入配置させる直線案内路を含み、
直線案内路と突丘の縁とにより形成される部分を方向転換部として、二本の釣り糸を重ね合わせて直線案内路に配置し、その状態で第１の釣り糸自由端を巻き付け周回させることを特徴とする請求項１ないし請求項５のいずれかに記載の釣り糸の直結器。
【請求項１１】
貫通案内部は、終端壁に開口する溝であって、第１の糸の自由端の差し入れ口が突丘の周面にあり、終端壁の開口に滑らかに連続する溝であることを特徴とする請求項１０記載の釣り糸の直結器。
【請求項１２】
棒体は、釣り糸の直結器の接地部とされる平端な底面を有することを特徴とする請求項５ないし請求項１１のいずれかに記載の釣り糸の直結器。
【考案の詳細な説明】
【技術分野】
【０００１】
本考案は、たとえば道糸とハリス等の釣り糸どうしを直結させる際に使用する直結器に関する。
【背景技術】
【０００２】
従来、釣りの際に、例えばガン玉等を装着したハリスに釣針を結びつけ、また浮き等を道糸に装着し、さらに道糸とハリスを連結させて釣りの仕掛けとし、これらの仕掛けを海中に投下させることがよく行われる。しかしながら、道糸やハリスはその径が細くて見えづらく、また一般に合成樹脂製で形成されているためある程度の曲げ剛性もあるので布製の紐等に比較して扱いにくいこともあって、お互いを直結しづらいという問題があった。そこで、ハリスと道糸を連結させるための連結器具として例えばサルカンが用いられる。このサルカンに関して、例えば特許文献１に示すような提案がされている。特許文献１によれば、同文献に添付の図１、２に示すように、円筒状のサルカン本体２と、このサルカン本体２の両端に設けられた道糸側の止め環３及びハリス側の止め環４とを備え、サルカン本体２ならびに止め輪３、４は真鍮等の材料によって形成されるものである。
【特許文献１】特開平９−１７２９２１
【考案の開示】
【考案が解決しようとする課題】
【０００３】
しかし、特許文献１の釣り用サルカンによれば、サルカン本体２と、止め環３、４は真鍮等の金属材料で形成されていることから、釣針や釣り糸に比較して重量が大きいため、例えば、サルカン近傍が釣針や釣り糸より先に沈んでゆくこともある。その際、例えばこれらの仕掛けが沈降して行く途中に、釣針がサルカンより高い位置にある時に魚がエサに食いついた場合に、釣り糸はサルカンを頂点とした例えば略Ｖ字状になっているので、その魚信を捕らえにくいという問題があった。また、釣針や釣り糸より先にサルカンが沈んで行った場合に、例えば魚にこれらの仕掛けを見破られてしまい釣果が減少するという問題があった。そこで、魚に仕掛けを見破られないようにエサ等の自然な沈降を演出させるため等に、サルカン等の連結器具を用いることなく直結させづらい釣り糸どうしを容易に直結させるためのツールが待望されていた。
【０００４】
本考案は、上記従来の課題に鑑みてなされたものであり、その目的は、たとえば道糸とハリス等の、直結させづらい釣り糸どうしの直結を容易に行うことができ、例えばサルカン等の連結器具を用いる必要もないので、釣果の向上を期待できる釣り糸の直結器を提供することにある。
【課題を解決するための手段】
【０００５】
上記の目的を達成するために、本考案は、手で直接把持しつつ、直結させる二本の釣り糸をあてがう本体１２と、本体１２に設けられ第１、第２の二本の釣り糸（Ｍ、Ｎ）を直結操作する直結操作部１４と、を含み、直結操作部１４は、二本の釣り糸のそれぞれの自由端（Ｔ、Ｓ）を差違え状に対向させ、ある程度の長さにわたって相互に重ね合わせて配置させた状態で、第１の糸の重ね合わせ自由端Ｔ側を第２の糸の重ね合わせ自由端Ｓ近傍に巻き付けるために巻き付け案内する巻き付け案内部１６と、巻き付け後の第１の糸の自由端Ｔ側を巻き付けにより形成したループＬ内に貫挿案内する貫挿案内部１８と、を含む、構成としている。
【０００６】
その際、直結操作部１４は、本体１２から一方向に突設した棒状部２０に設けられ、棒状部の外周面２２を巻き付け案内部１６とするとともに、貫挿案内部１８は、巻き付けにより形成されたループＬに第１の糸の自由端Ｔを貫挿案内させるように棒状部２０に形成された溝２４からなっていてもよい。また、巻き付け案内部１６は、第２の糸Ｎを外周方向に取り囲むようにループＬを形成すべく第１の糸の重ね合わせ自由端Ｔ側を方向転換させる方向転換部２６、９２を含んでいてもよいし、その際、方向転換部２６、９２は、棒状部の外周２２に設けられた突起２８、突丘、あるいは膨出部からなっていてもよい。
【０００７】
また、本体１２全体が手で把持できる程度の大きさの棒体３０からなっていてもよいし、貫挿案内部１８は、棒状部の終端面３２側に開口する溝２４であってもよい。その際、溝２４は、巻き付けループ位置３４を貫通方向に越えた位置の棒状部終端面３２側に開口していてもよいし、また、溝２４は、巻き付けループＬ形成後の第１の糸の自由端Ｔの差し入れ口３６が棒状部の周面３８にあるように該棒状部の周面３８と棒状部の終端面３２と、に連続する切込み溝４０であってもよい。さらに、溝２４は、棒状部の周面３８と棒状部の終端面３２と、に滑らかに連続する溝２４であってもよい。
【０００８】
また、直結操作部１０４は、本体１０２に設けた押さえ平坦部４２と、押さえ平坦部４２に一体的に連続し平坦面から外向き拡大方向に突出した突丘４４と、突丘４４に一体的に接続し突丘よりも小さな棒体外周４６を形成して棒体の長手方向に突出する巻き付け部４８と、巻き付け部４８に一体接続されて突出端を面状に終端させた終端壁５０と、を有し、棒体の長手方向であって、押さえ平坦部４２から巻き付け部の外周５２に向けて連通し、第１、第２の二本の釣り糸（Ｍ、Ｎ）を重ね合わせた状態で直線状に挿入配置させる直線案内路５４を含み、直線案内路５４と突丘４４の縁９０とにより形成される部分を方向転換部１１４として、二本の釣り糸を重ね合わせて直線案内路５４に配置し、その状態で第１の釣り糸自由端Ｔを巻き付け周回させる構成としてもよい。その際、貫通案内部１０８は、終端壁５０に開口する溝５６であって、第１の糸の自由端Ｔの差し入れ口１１６が突丘の周面５８にあり、終端壁の開口６０に滑らかに連続する溝５６であってもよい。また、棒体３０は、釣り糸の直結器の接地部６２、１２０とされる平端な底面６４、９６を有していてもよい。
【考案の効果】
【０００９】
本考案の釣り糸の直結器によれば、手で直接把持しつつ、直結させる二本の釣り糸をあてがう本体と、本体に設けられ第１、第２の二本の釣り糸を直結操作する直結操作部と、を含み、直結操作部は、二本の釣り糸のそれぞれの自由端を差違え状に対向させ、ある程度の長さにわたって相互に重ね合わせて配置させた状態で、第１の糸の重ね合わせ自由端側を第２の糸の重ね合わせ自由端近傍に巻き付けるために巻き付け案内する巻き付け案内部と、巻き付け後の第１の糸の自由端側を巻き付けにより形成したループ内に貫挿案内する貫挿案内部と、を含む構成であるから、例えば合成樹脂製で形成され、ある程度曲げ剛性を有するため結び目を形成しづらい釣り糸どうしであっても、巻き付け案内部を介して第１の糸の自由端側を第２の糸に容易に巻き付けつつ、貫挿案内部を介して第１の糸の自由端側を、巻き付けにより形成したループ内に容易に貫挿させるという直結操作を実現できる。したがって、釣り糸どうしの直結操作が容易となり、例えばサルカン等の連結器具を使用しなくても、釣果の向上を期待できる釣り糸の直結器を提供できる。また、直結作業を短時間で完了でき、手返しを早くして好釣果を期待できる。
【００１０】
また、直結操作部は、本体から一方向に突設した棒状部に設けられ、棒状部の外周面を巻き付け案内部とするとともに、貫挿案内部は、巻き付けにより形成されたループに第１の糸の自由端を貫挿案内させるように棒状部に形成された溝からなる構成であるから、二本の釣り糸のそれぞれの自由端を差違え状に対向させ、ある程度の長さにわたって相互に重ね合わせて配置させた状態で、第１の糸の重ね合わせ自由端側を第２の糸の重ね合わせ自由端近傍に巻き付けるために巻き付け案内する構成と、巻き付け後の第１の糸の自由端側を巻き付けにより形成したループ内に貫挿案内する構成と、を同時に実現できるとともに、本体側を把持しつつ本体から突設した棒状部に設けられた直結操作部で釣り糸どうしの直結操作を行い得る構造を具体化できる。さらに、例えば棒状部材というシンプルな形状の部材を基にして直結操作部の構造を実現できるので、釣り糸の直結器の構造簡略化ならびに低コスト化を図ることができる。
【００１１】
巻き付け案内部は、第２の糸を外周方向に取り囲むようにループを形成すべく第１の糸の重ね合わせ自由端側を方向転換させる方向転換部を含む構成であるから、釣り糸を直結させるために第１の糸の重ね合わせ自由端側で第２の糸を外周方向に取り囲むようにループを形成させる際に、方向転換部を介して第１の糸の方向を例えば略直角方向に容易に方向転換させて該ループを形成できるので釣り糸の直結操作の容易化を図ることができ、ならびに直結操作の迅速化も図ることができる。したがって、釣の専門家のみならず一般の釣愛好家にとっても釣り糸どうしを容易に直結させることができ実用性が高まる。
【００１２】
方向転換部は、棒状部の外周に設けられた突起、突丘、あるいは膨出部からなる構成であるから、これらの突起、突丘、あるいは膨出部に釣り糸を係止させた状態で釣り糸の方向転換をさせることができ、簡単な構造で方向転換部を具体化でき、製作容易化や低コスト化を図ることができる。
【００１３】
本体全体が手で把持できる程度の大きさの棒体からなる構成であるから、手で直接把持しつつ、直結させる二本の釣り糸をあてがう本体を、例えば直方体状の短棒材等のシンプルな部材で実現でき、釣り糸の直結器の構造簡略化ならびに低コスト化を実現できる。
【００１４】
貫挿案内部は、棒状部の終端面側に開口する溝である構成であるから、棒状部の終端面側に開口する溝を形成することで貫挿案内部を具体化できるとともに、釣り糸の直結器の構造簡略化・創作容易化ならびに低コスト化を図ることができる。
【００１５】
溝は、巻き付けループ位置を貫通方向に越えた位置の棒状部終端面側に開口する構成であるから、例えば、第１の糸の自由端を溝に沿って案内し、該終端面側の開口へと移動させることで、該自由端を、巻き付けにより形成したループ内に確実に貫通させて結び目を形成させるとともに、確実な直結操作を行い得る釣り糸の直結器を具体化できる。
【００１６】
溝は、巻き付けループ形成後の第１の糸の自由端の差し入れ口が棒状部の周面にあるように該棒状部の周面と棒状部の終端面と、に連続する切込み溝である構成であるから、棒状部の外周面に案内されて第１の糸で巻き付けループを形成させつつ、ループ形成後の第１の糸の自由端をその外周面にある差し入れ口から挿入し、溝に沿って押し込むようにして棒状部の終端面にある開口から該自由端を突出させるという簡単な操作で、第１の糸と、第２の糸との結び目を確実に形成させる実用性の高い釣り糸の直結器を具体化できる。
【００１７】
溝は、棒状部の周面と棒状部の終端面と、に滑らかに連続する溝である構成であるから、ループ形成後の第１の糸の自由端を溝に沿って円滑に挿入し移動させることができるので、第１の糸と、第２の糸との結び目を形成する作業をやりやすくなり、実用性が高まる。
【００１８】
直結操作部は、本体に設けた押さえ平坦部と、押さえ平坦部に一体的に連続し平坦面から外向き拡大方向に突出した突丘と、突丘に一体的に接続し突丘よりも小さな棒体外周を形成して棒体の長手方向に突出する巻き付け部と、巻き付け部に一体接続されて突出端を面状に終端させた終端壁と、を有し、棒体の長手方向であって、押さえ平坦部から巻き付け部の外周に向けて連通し、第１、第２の二本の釣り糸を重ね合わせた状態で直線状に挿入配置させる直線案内路を含み、直線案内路と突丘の縁とにより形成される部分を方向転換部として、二本の釣り糸を重ね合わせて直線案内路に配置し、その状態で第１の釣り糸自由端を巻き付け周回させる構成であるから、例えば、第１、第２の二本の釣り糸を直線状に重ね合わせた状態で、直線案内路に挿入配置しつつ押さえ平端部上に配置し、例えば親指でこれらの糸を該平端部上に押さえつければ、これらの糸を容易に重ね合わせ状態のまま固定できるとともに、直線案内路と突丘の縁とにより形成される方向転換部を介して第１の糸を略直角に方向転換させて巻き付け部に容易に巻き付けることができるので、例えば巻き付けループ位置を巻き付け部と突丘との連結近傍に配置させるように巻き付けループ形成の操作を容易かつ確実に行い得る釣り糸の直結器を具体化できる。
【００１９】
貫通案内部は、終端壁に開口する溝であって、第１の糸の自由端の差し入れ口が突丘の周面にあり、終端壁の開口に滑らかに連続する溝である構成であるから、例えば巻き付けループ位置を巻き付け部と突丘との連結近傍に配置させるように巻き付けループを形成させれば、突丘の周面にある差し入れ口から第１の糸の自由端を挿入し、溝に沿って押し込むようにして終端壁の開口から該自由端を突出させるという簡単な操作で、第１の糸と、第２の糸との結び目を確実に形成させるとともに、釣り糸どうしの確実な直結操作を行い得る実用性の高い釣り糸の直結器を具体化できる。
【００２０】
棒体は、釣り糸の直結器の接地部とされる平端な底面を有する構成であるから、直結作業の途中でも平端面を接地させて安定に置くことができるとともに、例えば棒体の上面に親指を、該平端な底面に人差し指をそれぞれあてがうことで釣り糸の直結器の把持をしやすくなる。
【考案を実施するための最良の形態】
【００２１】
以下添付図面を参照しつつ本考案を実施するための最良の形態について説明する。本考案の釣り糸の直結器は、例えば道糸とハリス等の釣り糸どうしを直結させる際に用いられる。そして、これらの釣り糸どうしを手で直接把持しつつ、本考案の釣り糸の直結器にあてがって、二本の釣り糸のそれぞれの自由端を差違え状に対向させ、ある程度の長さにわたって相互に重ね合わせて配置させた状態で、第１の糸の重ね合わせ自由端側を第２の糸の重ね合わせ自由端近傍に巻き付けるとともに、巻き付け後の第１の糸の自由端側を巻き付けにより形成したループ内に貫挿させるという一連の直結操作の容易化を図るものである。以下、具体的な実施形態について添付図面に基づいて説明する。図１ないし図５は、本考案の第１実施形態に係る釣り糸の直結器を示している。本実施形態において釣り糸の直結器１０は、手で直接把持しつつ、直結させる二本の釣り糸をあてがう本体１２と、本体１２に設けられ第１、第２の二本の釣り糸（Ｍ、Ｎ）を直結操作する直結操作部１４と、を含む。したがって、本体１２を直接把持しつつ、直結させる二本の釣り糸を本体１２にあてがいながら、直結操作部１４を介して、これらの釣り糸（Ｍ、Ｎ）を直結させる操作を実現できる。
【００２２】
本実施形態において、本体１２は、図１ないし図４-ｂに示すように、棒体３０で形成される。具体的には、棒体３０は、図１ないし図４-ｂに示すように、手で直接把持できる程度の太さと長さを有する直方体状の短棒部材６６で形成される。説明の都合上、図１ないし図４-ａ〜図４-ｆでは、短棒部材６６の長手方向の各辺は面取り加工を施していないが、操作中に釣り糸に傷を生じさせないため、各辺に沿って面取り加工を施しておくことが望ましい。また、棒体３０は、接地させた際に安定に接地されるように、釣り糸の直結器１０の接地部６２とされる平端な底面６４を有していてもよい。また、本実施形態において、本体は、直方体状の棒体で形成されるが、直方体状に限らず、例えば円柱状の棒体で形成されていてもよい。また、本実施形態における棒体は、合成樹脂製で形成されるが、合成樹脂製に限るものではなく、例えば、木製、竹製あるいはアルミニウム等の軽金属製であってもよい。
【００２３】
本実施形態において、直結操作部１４は、直結させる二本の釣り糸の直結操作をさせる操作部位であり、巻き付け案内部１６と、貫挿案内部１８と、を含む。なお、本実施形態において、直結操作部１４は、本体１２を形成する棒体３０から一方向に突設した棒状部２０に設けられる。具体的には、棒状部２０は、図１、２、４-ｂに示すように、上述した直方体状の短棒部材６６の一端に該短棒部材６６と同じ断面形状のまま長手方向に延長突設させて所要の長さを有する直方体状部材で形成される。したがって、本体１２を把持しつつ、釣り糸を本体１２の長手方向に略平行した状態で本体１２にあてがうとともに、本体１２を延長させた部位である棒状部２０を介しての直結操作がやりやすくなり作業性が向上する。本実施形態において、棒状部２０は、直方体状に形成されるが、直方体状に限らず、例えば、本体が円柱状の短棒部材の場合には円柱状で形成されていてもよい。また、説明の都合上、図１、２、４-ａ〜４-ｆでは、棒状部２０の長手方向の各辺は面取りを省略しているが、面取りを施した方が望ましいことは言うまでもない。
【００２４】
本実施形態において、巻き付け案内部１６は、直結させる二本の釣り糸のそれぞれの自由端（Ｔ、Ｓ）を差違え状に対向させ（図４-ａ）、ある程度の長さにわたって相互に重ね合わせて配置させた状態で、第１の糸の重ね合わせ自由端Ｔ側を第２の糸の重ね合わせ自由端Ｓ近傍に巻き付けるために巻き付け案内する案内部位である。具体的には、巻き付け案内部１６は、図１、２、４-ｂに示すように、上述した直方体状の棒状部の外周面２２で形成される。したがって、第１の糸Ｍの重ね合わせ自由端Ｔ側を、棒状部２０の外周に巻きつけるようにすれば巻き付けループを形成できるので、第１の糸の自由端Ｔ側を第２の糸Ｎの重ね合わせ自由端Ｓ近傍に巻き付ける操作がやりやすくなる。
【００２５】
なお、本実施形態において、巻き付け案内部１６は、方向転換部２６を含む。図４-ｂ、４-ｃに示すように、方向転換部２６は、第２の糸Ｎを外周方向に取り囲むようにループＬを形成すべく第１の糸Ｍの重ね合わせ自由端側を方向転換させるように折曲させる折曲部位である。具体的には、方向転換部２６は、図４-ｂに示すように、上述した直方体状の棒状部２０の側面平端部６８から形成される。したがって、図４-ｂに示すように、直結させる二本の釣り糸をある程度の長さにわたって相互に重ね合わせて配置させた状態で直方体状本体１２の側面にあてがい、その側面を延長した部位となる方向転換部２６で、例えば一方の手の親指で直接二本の糸を同時に押えつけて固定しつつ、その固定した部位を起点として第１の糸Ｍを折曲させて容易に方向転換させ、図４-ｃに示すように第２の糸Ｎを外周方向に取り囲むようにループＬを形成することができる。
【００２６】
本実施形態において、貫挿案内部１８は、巻き付け後の第１の糸の自由端Ｔ側を巻き付けにより形成したループＬ内に貫挿案内する貫挿案内部位であり、棒状部２０に形成された溝２４から形成される。具体的には、溝２４は、図１ないし３に示すように、Ａ開口７２と、Ｂ開口７４と、底面７０と、側壁７６と、を含む。より詳しくは、Ａ開口７２は、図２、３に示すように、棒状部２０の終端面３２に設けられ、正面視長方形でその底辺７８を該終端面３２の中央近傍に位置させて形成される。次に、Ｂ開口７４は、図１、２に示すように、例えば直方体状の棒状部２０の上面に設けられ、正面視長方形でその底辺８０を棒状部２０の、例えば本体側近傍に位置させて形成される。また、底面７０は、図１、２に示すように、これらの底辺７８、８０どうしを連結させるように設けられ、例えば、釣り糸を余裕をもって通過させることができる程度の幅を有し、側面視で直線状に右下がりの傾斜面で形成される。さらに、側壁７６は、図１、２に示すように上述した底面７０の両側に垂設され、側面視で三角形の壁面で形成される。したがって、溝２４は、棒状部２０の終端面３２側に開口（Ａ開口７２）を有するので、棒状部の終端面３２側に開口する溝２４を形成することで貫挿案内部１８を具体化できる。また、溝２４は、図１、２に示すように、棒状部の上面と棒状部の終端面３２とに、滑らかに連続して形成されるので、巻き付け後の第１の糸の自由端Ｔ側を溝２４に沿って滑らかに押し込むことが可能となり、第１の糸と、第２の糸との結び目を形成する作業性が向上する。
【００２７】
また、溝２４は、図２、３、４-ｃ、４-ｄに示すように、Ａ開口７２を棒状部２０の終端面３２に有するので、棒状部２０の外周面２２に第１の糸の自由端側を巻き付ければ、Ａ開口７２は、該巻き付けループ位置３４を第１の糸の自由端が貫通する方向に越えた位置の棒状部終端面３２側に位置する。したがって、例えば、図４-ｄに示すように、第１の糸の自由端Ｔを溝２４に沿って案内し、該終端面側のＡ開口７２へと移動させることで、該自由端Ｔを、巻き付けにより形成したループＬ内に確実に貫通させて結び目を形成させることができる。また、溝２４は、図２、３、４-ｃ、４-ｄに示すように、Ｂ開口７４を棒状部２０の上面に有するので、Ｂ開口７４の底辺８０と終端面３２との間に第１の糸の自由端側を巻き付ければ、図４-ｄに示すように、その巻き付けループ位置３４と底辺８０とで挟まれたＢ開口７４の部分が、第１の糸の自由端Ｔの差し入れ口３６となる。したがって、溝２４は、巻き付けループＬ形成後の第１の糸の自由端Ｔの差し入れ口３６が、棒状部の例えば上面にあるように該棒状部の上面と棒状部の終端面３２とに連続する溝で形成される。よって、巻き付け後の第１の糸の自由端Ｔを該差し入れ口３６に差し込む操作が容易となる。また、溝２４を、例えば、棒状部の終端面３２の上辺の角を所要の幅で切り落とした切込み溝４０とすれば、釣り糸の直結器の構造簡略化ならびに製作容易化・低コスト化を図ることができる。また、溝は、本実施形態の溝に限るものではなく、棒状部の終端面の開口が確保されていれば、例えば差し入れ口が直方体状の棒状部の側面に設けられるような切込み溝であってもよい。また、溝の底面は側面視で右下がりの直線状でなくても、側面視で水平であってもよいし、滑らかにある程度湾曲していてもよい。また、溝の幅も釣り糸の通過作業の妨げとならない範囲で増減させてもよい。
【００２８】
また、本実施形態において、方向転換部２６は、図４-ｂに示すように、上述した直方体状の棒状部２０の側面平端部６８から形成されているが、例えば図５に示すように、直方体状の棒状部２０の上面平端部８２から形成されていてもよい。その場合には、図５に示すように、直結させる二本の釣り糸をある程度の長さにわたって相互に重ね合わせて配置させた状態で直方体状本体１２の上面にあてがい、その上面を延長した部位となる方向転換部２６を介して第１の糸Ｍを折曲させて容易に方向転換できる。その際、第２の糸Ｎの直線状態を維持して第１の糸Ｍの巻き付け操作がやりやすいように、棒状部２０の上面に貫挿案内部１８よりある程度短い案内溝８４を形成し、該案内溝８３に第２の糸を通すようにして配置してもよい。
【００２９】
次に、本実施形態の釣り糸の直結器１０の作用について図４-ａないし図４-ｆに基づいて説明する。先ず、釣り糸の直結器１０を手で直接把持しつつ、直結させる二本の釣り糸のそれぞれの自由端（Ｔ、Ｓ）を差違え状に対向させ、ある程度の長さにわたって相互に重ね合わせて配置させた状態で（図４-ａ）、その重ね合わせた部分を本体１２の長手方向に平行にして、その中央近傍を本体１２の側面にあてがう。その際、本体１２は全体が手で把持できる程度の大きさの直方体状の棒体３０からなるので、把持しやすい。次に、図４-ｂに示すように、釣り糸の直結器１０の側面に設けられた方向転換部２６を介して、例えば親指で二本の糸を押えて固定しつつ第一の糸Ｍを釣り糸の直結器の長手方向に略直角に折曲する。その際、固定した部分から第１の糸の自由端Ｔまでの長さを所要の長さとなるように調整し、ループ形成部８１とする。次に、図４-ｂ、４-ｃに示すように、該ループ形成部８１を、巻き付けループ位置３４が棒状部２０の終端と、Ｂ開口８０の底辺８０との中間位置となるように、巻き付け案内部１６である棒状部の外周面２２に二回以上巻き付ける。その際、本体１２を直接把持するとともに、釣り糸も直接指で押えつつ巻き付け案内部１６を介して巻き付けることができるので巻き付ける際に力を入れやすくなるとともに迅速に巻き付けることができる。次に、図４-ｄに示すように、貫挿案内部１８を介して、巻き付け後の第１の糸の自由端Ｔ側を巻き付けにより形成したループＬ内に貫挿させる。その際、該自由端Ｔの差し入れ口３６が巻き付けループ位置３４とＢ開口の底辺８０との間にあるので挿入作業がやりやすくなる。また、貫挿案内部１８は、図１、２、４-ｃに示すように、棒状部２０の上面と棒状部の終端面３２とに、滑らかに連続する溝２４であるので、ループ形成後の第１の糸の自由端Ｔを溝２４に沿って挿入しつつ円滑に移動させることができ、第１の糸と、第２の糸との結び目を形成する作業をやりやすくなる。また、溝２４は、巻き付けループ位置３４を貫通方向に越えた位置の棒状部終端面３２側に開口しているので、第１の糸の自由端Ｔを溝に沿って案内し、該終端面側の開口へと移動させることで、該自由端Ｔを、巻き付けにより形成したループＬ内に確実に貫通させて結び目を形成させることができる。したがって、特に、釣り場で直結作業に緊急を要する場合や、老眼等のため手元の細い糸等が見えづらく直結作業が煩雑に感じられる場合に有効である。
【００３０】
次に、巻き付けにより形成したループＬ内に、第１の糸の自由端Ｔ側を所要の長さ貫挿させた後に該ループＬを棒状部２０の終端面３２側から抜く。次に、図４-ｅに示すように、一方の手で二本の糸を摘んで固定させ、他方の手で第１の糸の自由端Ｔ側を摘んで一方の手と逆方向に引っ張り、結び目Ｘをある程度緊縛する。次に、釣り糸の直結器１０を使って上述した同様の手順で、第２の糸Ｎの重ね合わせ自由端Ｓ側を第１の糸Ｍの重ね合わせ自由端近傍に巻きつけて、結び目Ｙを形成する。そして、図４-ｆに示すように、それぞれの糸の自由端と反対側をお互いに逆方向に引っ張ることで、二つの結び目（Ｘ、Ｙ）が近寄りあいながら接触するので、接触したところで再度強く引っ張ってこれらの結び目をさらに緊縛することで直結が完了する。
【００３１】
次に、本考案の釣り糸の直結器の第２の実施形態について図６、７に基づいて説明するが、第１実施形態と同一部材には同一の符号を付し、その詳細な説明は省略する。本実施形態における釣り糸の直結器９０の第１実施形態との相違点は、図６に示すように、方向転換部９２が、棒状部２０の外周に設けられた突起２８からなる点である。具体的には突起２８は、図６に示すように、棒状部２０の側面であって巻き付けループ位置３４近傍に、釣り糸を係止できる程度の高さと径を有する円柱状の突起２８を、その軸方向を該側面から水平方向に突設させて、棒状部２０と一体に形成される。したがって、直結操作の際に、二本の釣り糸（Ｍ、Ｎ）のそれぞれの自由端（Ｔ、Ｓ）を差違え状に対向させ、ある程度の長さにわたって相互に重ね合わせた状態で、図６に示すように、その重ね合わせた部分が該突起２８の下側を通過するように配置し、第２の糸Ｎを外周方向に取り囲むようにループＬを形成すべく第１の糸の重ね合わせ自由端Ｔ側を、該突起２８に係止させつつ折曲させることで、第１の糸を容易に方向転換させることができるようになるとともに、二本の糸を側面に押し付ける力も少なくて済むので、直結操作をさらに容易に行うことができる。また突起２８は、図７に示すように、例えば、直方体状の棒状部２０の上面に設けられていてもよい。また、方向転換部は、本実施形態の突起２８に限らず、例えば突丘あるいは膨出部から形成されていてもよい。
【００３２】
次に、本考案の釣り糸の直結器の第３の実施形態について図８ないし図１４に基づいて説明するが、第１実施形態と同一部材には同一の符号を付し、その詳細な説明は省略する。本実施形態における釣り糸の直結器１００の第１実施形態との相違点は、直結操作部１０４が、本体１０２に設けられた押さえ平端部４２と、押さえ平端部４２に一体的に連続した突出した突丘４４と、突丘４４に一体的に接続された巻き付け部１０６と、を有している点、また、二本の糸を直線状に挿入配置させる直線案内路５４を含んでいる点、さらに方向転換部１１４が、直線案内路５４と突丘４４の縁９０とによって形成される点である。本実施形態において、押さえ平端部４２は、直結操作の際に直結させる二本の糸を重ね合わせた状態であてがって押さえつける部位である。なお、本実施形態において、本体１０２は、図８ないし図１１に示すように、釣り糸の直結器１００を接地させた場合に接地部１２０とされ、該直結器１００が安定した状態になる程度の大きさの平端な底面９６を有し、全体が手で把持できる程度の大きさの円柱状の棒体９４で形成される。そして、押さえ平端部４２は、図８、９、１３に示すように、円柱状形状の上側を例えば親指の幅程度の幅で底面に略平行に、例えば削成して設けられた平坦面であって、該平坦面の高さ位置ｄが後述する巻き付け部の上端高さ位置Ｄよりやや低い位置に形成される。したがって、直結させる二本の糸を重ね合わせた状態で後述する直線案内路５４に挿入配置しつつ、該押さえ平端部４２にあてがってその上から指で押さえつけて容易に固定できる。
【００３３】
本実施形態において、突丘４４は、後述する直線案内路５４ならびに方向転換部１１４の形成手段である。図８ないし図１１に示すように、突丘４４は、本体１０２を形成する円柱状棒体９４の外径と同じ外径で、例えば略１ｃｍ程度の長さの円柱状部材を本体１０２の一端から軸方向に突設させて本体１０２と一体に形成される。すなわち、突丘４４は押さえ平端部４２に一体的に連続し平坦面から外向き拡大方向に突出して形成される。さらに、該突丘４４は、図８、９に示すように、突丘の上端側の長さ方向中間位置から押さえ平端部４２に向かってなだらかな傾斜面９８を有している。したがって、直結させる二本の糸を重ね合わせた状態で該押さえ平端部４２にあてがうとともに、後述する直線案内路５４に該二本の糸を挿入配置しつつ、その上から指で押さえつける際に、例えば指である程度力を加えて押えても指が角に当たることもなく痛くないので、力を加えやすく押え作業の煩雑性を低減できる。
【００３４】
本実施形態において、巻き付け部４８は、直結させる二本の釣り糸をある程度の長さにわたって相互に重ね合わせて配置させた状態で、第１の糸の重ね合わせ自由端Ｔ側を第２の糸の重ね合わせ自由端Ｓ近傍に巻き付けるために巻き付け案内する案内部位であり、突丘４４に一体的に接続し突丘４４よりも小さな棒体外周４６を形成して棒体の長手方向に突出して形成される。具体的には、図８ないし図１０に示すように、巻き付け部４８は、上述した突丘４４の径Ｒよりやや小さな径ｒで略１ｃｍ程度の長さを有する円柱状部材で形成され、その軸方向を突丘４４の軸方向と同じにした状態で突丘４４の本体１０２側と反対端から突設させて形成される。したがって、巻き付けループＬを形成させる際に、例えば巻き付けループ位置３４を巻き付け部４８であって、その巻き付け部４８と突丘４４との連結近傍に配置させて巻き付けるようにすることで、巻き付ける際にある程度力を加えても巻き付けループＬが突丘４４側にずれて移動することもないので巻き付け操作がやりやすくなる。また、巻き付けループ位置３４を常に同じ位置とすることができるので、さらに巻き付け操作の作業性が向上する。
【００３５】
なお、本実施形態において、終端壁５０は、釣り糸どうしの結び目を形成させるために、巻き付け部１０６に巻き付けて形成されたループＬを巻き付け部１０６から引き抜く部位であり、巻き付け部１０６に一体的に接続されて突出端を面状に終端させて形成される。具体的には、終端壁は、図８ないし図１０に示すように、巻き付け部１０６を形成する円柱状部材の突丘４４側と反対側の端面から形成される。したがって、上述したループＬを巻き付けループ位置３４から該終端壁５０側を越えて移動させつつ該ループＬを容易に巻き付け部１０６から引き抜くことができる。その際、終端壁５０と巻き付け部外周５２との角の一部または全体に面取りを施せば、さらに好適である。
【００３６】
本実施形態において、直線案内路５４は、第１、第２の二本の糸を重ね合わせた状態で直線状に挿入配置させる直線状配置案内部位であり、上述した押さえ平端部４２から巻き付け部の外周５２に向けて連通される連通溝１１０で形成される。具体的には、直線案内路５４は、図８、１０、１３に示すように、突丘４４ならびに巻き付け部４８の上側に軸方向に沿って設けられ、二本の釣り糸を挿入できる程度の幅を有する溝であって、底面１１２の高さ位置が押さえ平端部４２と略同じ高さ位置となるように形成された連通溝１１０である。したがって、二本の釣り糸を重ね合わせた状態で、該直線案内路５４の上側から容易に直線案内路５４へと直線状に挿入配置させた状態で、押さえ平端部４２を介して釣り糸を押えて固定できるので第２の糸の自由端近傍への第１の糸の巻き付け操作をしやすくなる。
【００３７】
次に、本実施形態において、方向転換部１１４は、図８、１０、１３、１４に示すように、上述した直線案内路５４と突丘４４の縁９０とによって形成される。したがって、上述したようにして挿入配置させた二本の釣り糸のうち第１の糸を、該縁９０に係止させつつ容易に略直角に折曲させて、巻き付け部４８に巻き付けるという操作を短時間で容易に行うことができる。その際、図１０、１４に示すように、直線案内路（連通溝）５４の底面１１２は巻き付け部外周５２の内側を通過するので、二本の糸（Ｍ、Ｎ）をその底面１１２に沿って挿入配置させれば、図１４に示すように、確実に第２の糸Ｎの外周に第１の糸Ｍの自由端側を周回させることができる。
【００３８】
また、本実施形態において、貫通案内部１０８は、終端壁５０に開口する溝５６で形成される。具体的には、該溝５６は、図８、１０、１４に示すように、第１の糸の自由端Ｔの差し入れ口１１６が上述した突丘４４の上周面にあり、上述した直線案内路５４からある程度離隔した位置に該案内路５４に平行に設けられた溝である。そして、その底面１１８は、終端壁５０の開口に滑らかに連続するように直線状に右下がりの傾斜面（図１２）で形成される。したがって、突丘４４の上周面（５８）にある差し入れ口１１６から第１の糸の自由端Ｔを挿入し、溝に沿って押し込むようにして終端壁の開口６０から該自由端Ｔを突出させるという簡単な操作で、第１の糸と、第２の糸との結び目をより確実に形成させることができる。なお、本実施形態の説明の便宜上、本体の一端側に直結操作部１０４を設けた態様の説明を行っているが、図８ないし図１３に示すように、本体の他端側にも直結操作部を設けて、一方を右利き用とし、他方を左利き用としてもよい。
【００３９】
以上のように、本考案の釣り糸の直結器によれば、たとえば道糸とハリス等のように、ある程度曲げ剛性を有するため結び目を形成しづらい釣り糸どうしであっても、直結操作を短時間で容易に行うことができ、また、サルカン等の連結器具を用いる必要もなく、釣果の向上を期待できる釣り糸の直結器を、低コストで提供することができる。
【００４０】
以上説明した本考案の釣り糸の直結器は、上記した実施形態のみに限定されるものではなく、実用新案登録請求の範囲に記載した本考案の本質を逸脱しない範囲において、任意の改変を行ってもよい。
【産業上の利用可能性】
【００４１】
本考案の釣り糸の直結器は、専門の釣師のみならず一般の釣り愛好家にいたるまで幅広く用いることができる。
【図面の簡単な説明】
【００４２】
【図１】本考案の第１実施形態に係る釣り糸の直結器の平面図である。
【図２】図１の正面図である。
【図３】図１の側面図である。
【図４−ａ】本考案の第１実施形態に係る釣り糸の直結器の使用状態を説明する斜視図である。
【図４−ｂ】本考案の第１実施形態に係る釣り糸の直結器の使用状態を説明する斜視図である。
【図４−ｃ】本考案の第１実施形態に係る釣り糸の直結器の使用状態を説明する斜視図である。
【図４−ｄ】本考案の第１実施形態に係る釣り糸の直結器の使用状態を説明する斜視図である。
【図４−ｅ】本考案の第１実施形態に係る釣り糸の直結器の使用状態を説明する斜視図である。
【図４−ｆ】本考案の第１実施形態に係る釣り糸の直結器の使用状態を説明する斜視図である。
【図５】本考案の第１実施形態に係る釣り糸の直結器の他の実施例を説明する斜視図である。
【図６】本考案の第２実施形態に係る釣り糸の直結器の使用状態を説明する斜視図である。
【図７】本考案の第２実施形態に係る釣り糸の直結器の他の実施例を説明する斜視図である。
【図８】本考案の第３実施形態に係る釣り糸の直結器の平面図である。
【図９】図８の正面図である。
【図１０】図８の側面図である。
【図１１】本考案の第３実施形態に係る釣り糸の直結器の斜視図である。
【図１２】図８のＡ−Ａ線断面図である。
【図１３】図８のＢ−Ｂ線断面図である。
【図１４】本考案の第３実施形態に係る釣り糸の直結器の使用状態を説明する一部省略斜視図である。
【符号の説明】
【００４３】
１０、９０、１００  釣り糸の直結器
１２、１０２  本体
１４、１０４  直結操作部
１６  巻き付け案内部
１８、１０８  貫挿案内部
２０  棒状部
２２  棒状部の外周面
２４  溝
２６、９２、１１４  方向転換部
３０  棒体
３２  棒状部の終端面
３４  巻き付けループ位置
３６、１１６  差し入れ口
３８  棒状部の周面
４０  切込み溝
４２  押さえ平端部
４４  突丘
４６  棒体外周
４８  巻き付け部
５０  終端壁
５２  巻き付け部外周
５４  直線案内路
５６  終端壁に開口する溝
５８  突丘の周面
６０  終端壁の開口
６２、１２０  接地部
６４、９６  底面
９０  縁
Ｌ  ループ
Ｍ  第１の糸
Ｎ  第２の糸
Ｔ  第１の糸の自由端
Ｓ  第２の糸の自由端
【図１】
0003119593.tif 000003
【図２】
0003119593.tif 000004
【図３】
0003119593.tif 000005
【図４−ａ】
0003119593.tif 000006
【図４−ｂ】
0003119593.tif 000007
【図４−ｃ】
0003119593.tif 000008
【図４−ｄ】
0003119593.tif 000009
【図４−ｅ】
0003119593.tif 000010
【図４−ｆ】
0003119593.tif 000011
【図５】
0003119593.tif 000012
【図６】
0003119593.tif 000013
【図７】
0003119593.tif 000014
【図８】
0003119593.tif 000015
【図９】
0003119593.tif 000016
【図１０】
0003119593.tif 000017
【図１１】
0003119593.tif 000018
【図１２】
0003119593.tif 000019
【図１３】
0003119593.tif 000020
【図１４】
0003119593.tif 000021